(57)【要約】【課題】電話回線と電話機との間に設けられる通信アダプタ装置であって、視力が衰えた高齢者や弱視者にとっても電話着信の際の発信者確認や、電話発信時の操作が容易にできる通信アダプタ装置を提供する。【解決手段】発光体１１及び画像シート１４を夫々有する複数の発光表示手段１０と、前記発光表示手段１１に夫々割り当てられた電話番号を記憶する記憶手段２５と、着信信号から発信番号を検出する発信番号検出手段２３と、前記発信番号検出手段２３が検出した発信番号と前記記憶手段２５に記憶された電話番号とを比較参照し、一致する電話番号に割り当てられた前記発光表示手段１０の発光体１１を点灯または点滅させる制御手段２０とを備える。【選択図】図１
2008092256.tif 000002
【特許請求の範囲】
【請求項１】
電話回線と電話機との間に設けられる通信アダプタ装置であって、
発光体及び画像シートを夫々有する複数の発光表示手段と、
前記発光表示手段に夫々割り当てられた電話番号を記憶する記憶手段と、
着信信号から発信番号を検出する発信番号検出手段と、
前記発信番号検出手段が検出した発信番号と前記記憶手段に記憶された電話番号とを比較参照し、一致する電話番号に割り当てられた前記発光表示手段の発光体を点灯または点滅させる制御手段と
を備えることを特徴とする通信アダプタ装置。
【請求項２】
前記発光表示手段において、
前記画像シートは透光性のシートであって、該画像シートの下方に前記発光体が設けられることを特徴とする請求項１に記載された通信アダプタ装置。
【請求項３】
前記画像シートには、割り当てられた電話番号に属する人物の写真、イラスト、文字情報のいずれかが記されていることを特徴とする請求項１または請求項２に記載された通信アダプタ装置。
【請求項４】
電話回線に対しダイヤル発信する電話発信手段を備え、
前記発光表示手段は押下式キーであって、電話回線に接続された状態で該発光表示手段が押下されることにより、前記電話発信手段が発光表示手段に割り当てられた電話番号をダイヤル発信することを特徴とする請求項１乃至請求項３のいずれかに記載された通信アダプタ装置。
【請求項５】
前記発光表示手段に電話番号を割り当て、前記記憶手段に該電話番号を記憶させる設定手段を備えることを特徴とする請求項１乃至請求項４のいずれかに記載された通信アダプタ装置。
【請求項６】
前記設定手段は、各発光表示手段につき、少なくとも２つの電話番号を設定可能であることを特徴とする請求項５に記載された通信アダプタ装置。
【発明の詳細な説明】
【技術分野】
【０００１】
本発明は、電話回線と固定電話機との間に設けられる通信アダプタ装置に関する。
【背景技術】
【０００２】
従来から固定電話機において、着信した際の相手の電話番号を通知するサービスが提供されている。このサービスに対応可能な電話機では、電話機の電話帳に登録している相手からの着信の際、ディスプレイに発信者の登録名称を表示することができる。
したがって、着信側では、受話器を取る前に、ディスプレイを見ることにより発信相手を容易に特定することができる。
【０００３】
一方、固定電話機から発信する際、頻繁に電話する相手の場合には、逐一電話番号を押して発信する作業が面倒であり時間を要する。このため一般的には、電話機に設けられた短縮ダイヤルボタン（或いはワンタッチダイヤルボタン）に電話番号を登録し、ボタンの周囲に小さな文字で登録名を記入し使用されている。
尚、このような短縮ダイヤル機能付の電話装置ついては、例えば特許文献１に記載されている。
【特許文献１】特開平６−９７９９６号公報
【発明の開示】
【発明が解決しようとする課題】
【０００４】
前記のような着信時或いは発信時の電話機の機能は、一般には大変便利な機能として利用されている。
しかしながら、視力が衰えた高齢者や弱視者にとっては、着信時において、電話機の小さなディスプレイに表示された文字情報の読み取りが困難であり、電話機の登録メモリに登録した人物からの電話であっても、容易に相手を特定することができなかった。
一方、発信時においては、短縮ダイヤルを使用しようとしても、小さい短縮ダイヤルボタンの識別が困難であり、即座に電話が掛けられないという課題があった。
【０００５】
本発明は、前記したような事情の下になされたものであり、電話回線と電話機との間に設けられる通信アダプタ装置であって、視力が衰えた高齢者や弱視者にとっても電話着信の際の発信者確認や、電話発信時の操作が容易にできる通信アダプタ装置を提供することを目的とする。
【課題を解決するための手段】
【０００６】
前記した課題を解決するために、本発明に係る通信アダプタ装置は、電話回線と電話機との間に設けられる通信アダプタ装置であって、発光体及び画像シートを夫々有する複数の発光表示手段と、前記発光表示手段に夫々割り当てられた電話番号を記憶する記憶手段と、着信信号から発信番号を検出する発信番号検出手段と、前記発信番号検出手段が検出した発信番号と前記記憶手段に記憶された電話番号とを比較参照し、一致する電話番号に割り当てられた前記発光表示手段の発光体を点灯または点滅させる制御手段とを備えることに特徴を有する。
尚、前記発光表示手段において、前記画像シートは透光性のシートであって、該画像シートの下方に前記発光体が設けられることが望ましい。
また、前記画像シートには、割り当てられた電話番号に属する人物の写真、イラスト、文字情報のいずれかが記されていることが好ましい。
【０００７】
このように構成することにより、視力が衰えた高齢者や弱視者であっても、その点灯する画像シート（写真、イラスト、文字情報のいずれか）を見ることによって、誰からの電話着信であるのか容易に知ることができる。
【０００８】
また、電話回線に対しダイヤル発信する電話発信手段を備え、前記発光表示手段は押下式キーであって、電話回線に接続された状態で該発光表示手段が押下されることにより、前記電話発信手段が発光表示手段に割り当てられた電話番号をダイヤル発信することが望ましい。
このように構成することにより、視力が衰えた高齢者や弱視者であっても、各キーに挿入された写真を見て、登録された人物等を識別することができるため、電話を掛けたい相手の画像シート（写真等）が挿入されているキーを押すだけで、容易に電話を掛けることができる。
【０００９】
また、前記発光表示手段に電話番号を割り当て、前記記憶手段に該電話番号を記憶させる設定手段を備えることが望ましい。
このように設定手段を設けることで、各発光表示手段に電話番号を登録することができる。
また、前記設定手段は、各発光表示手段につき、少なくとも２つの電話番号を設定可能であることが好ましい。
このように構成すれば、例えば１人の人物につき、自宅電話と携帯電話、或いは自宅電話と勤務先の電話等、複数の電話番号を登録でき、電話着信時にいずれの番号からの発信であっても容易に相手を特定することができる。
【発明の効果】
【００１０】
本発明によれば、電話回線と電話機との間に設けられる通信アダプタ装置であって、視力が衰えた高齢者や弱視者にとっても電話着信の際の発信者確認や、電話発信時の操作が容易にできる通信アダプタ装置を得ることができる。
【発明を実施するための最良の形態】
【００１１】
以下、本発明の実施の形態を図面に基づき説明する。図１は本発明の通信アダプタ装置の斜視図である。図１に示すように、通信アダプタ装置１００は、電話機５１とモジュラーケーブル５３を介して接続され、公衆電話回線５０（電話回線５０と呼ぶ）とモジュラーケーブル５２を介して接続される。即ち、電話機５１は通信アダプタ装置１００を介して電話回線５０に接続された状態となされる。
【００１２】
通信アダプタ装置１００は、筐体１を備え、筐体１の上面には複数の（図では１２個の）押下式キー１０（発光表示手段）からなるメインキーパネル２が設けられている。
メインキーパネル２に形成された各キー１０は、発信時においては短縮ダイヤルキー（ワンタッチダイヤルキー）として機能し、着信時においては、点滅（或いは点灯）することによって発信相手を通知するよう機能する。即ち、着信時においては、電話会社が提供するサービスである、着信した際の相手の電話番号を通知するサービスが利用される。
【００１３】
尚、電話番号の登録設定により、各キー１０は、発信専用のキーとして機能させることもできるし、着信通知専用キーとして機能させることもできる。例えば、図１において上段２列のキー１０は発信専用とし、下段２列のキー１０は着信通知専用としてもよい。或いは、最上段１列のキー１０は発信専用、最下段１列のキー１０は着信通知専用、中段２列のキー１０は発信／着信通知兼用キーとして設定してもよい。
【００１４】
また、各キー１０は、発光ダイオード（ＬＥＤ）等の発光体１１を有するキー本体１２と、キー本体１２上に係合可能な透明樹脂からなるクリアカバー１３とを有する。さらに、キー本体１２上にクリアカバー１３を被せ係合した際、それらの間には間隙が形成され、各キー１０に割り当てた登録電話番号に属する人物の写真、イラスト、文字情報等のいずれかを印刷した透光性の画像シート１４が挿入できるよう構成されている。
尚、各キー１０の大きさは、例えば縦２０ｍｍ、横２０ｍｍに形成され、発信時及び着信時において、高齢者や弱視者であっても容易に視認できるようになされている。
【００１５】
また、筐体１の一方の側面には、各キー１０への電話番号の登録や、登録された電話番号の解除等を行なうための設定キーパネル３（設定手段）が設けられている。この設定キーパネル３には、例えば０〜９のキー、セットキー、キャンセルキー等が設けられている。また、設定キーパネル３は、未使用時には筐体１内に収納可能とされ、その操作時において水平に引き出すことにより図示する状態で使用可能になされている。
【００１６】
１つのキー１０に電話番号を登録する場合、例えば次のように行なわれる。先ず、設定キーパネル３のセットキー３ａを押して番号登録モードとし、登録する電話番号を０〜９のキーにより入力する。
次いで、再びセットキー３ａを押してキー設定モードとし、所望のキー１０を押下する。これにより、所望のキー１０に特定の電話番号が登録される。
また、この電話番号登録の後、キー１０に、登録した電話番号に属する画像シート１４（相手写真等）を挿入し、登録作業が完了する。
【００１７】
尚、１つのキー１０に対しては、少なくとも２つの電話番号を登録することができるソフトウエア構成となされる。即ち、一人物に属する複数の電話番号、例えば自宅と勤務先の番号、或いは自宅と携帯電話の番号等を登録することができるよう設計されている。このように構成すれば、電話着信時にいずれの番号からの発信であっても容易に相手を特定することができる。
また、２つ以上の電話番号を登録する場合、例えば登録順に従い電話番号に優先順位が付され、発信時に電話発信する電話番号がその優先順位により決定されるようになされている。
【００１８】
また、前記のように電話番号をキー１０に割り当てるだけでなく、設定キーパネル３を用いて所定の操作を行なうことにより、着信拒否したい番号の登録もできるようになされている。この着信拒否としたい番号を登録することで、例えば、その番号からの発信があった場合、即座に回線を切るように制御することができる。
【００１９】
さらに、通信アダプタ装置１００が有する機能について説明する。図２は、通信アダプタ装置１００の機能構成（内部構成）を示すブロック図である。
図示するように通信アダプタ装置１００の内部には、マイコンからなる中央制御部２０（制御手段）と、電話網５０と電話機５１との間で電話回線信号の制御を行う回線制御部２１と、回線制御部２１を介して着信信号を検出する着信検出部２２と、回線制御部２１を介して着信信号から発信電話番号を検出する発信番号検出部２３（発信番号検出手段）とが設けられる。
【００２０】
また、中央制御部２０には、プログラム（発信プログラム、着信プログラム）を記憶したＲＯＭ（リードオンリーメモリ）２４と、登録電話番号を記憶するＲＡＭ（ランダムアクセスメモリ）２５（記憶手段）とが接続されている。さらに、前記したユーザーインタフェースとなるメインキーパネル２の各キー１０及び設定キーパネル３が中央制御部２０に接続されている。
【００２１】
続いて、このように構成された通信アダプタ装置１００における着信時の動作について、図３のフローに基づき説明する。
先ず、回線制御部２１を介し入力された回線信号から、着信検出部２２が着信を検出すると（図３のステップＳ１）、中央制御部２０はＲＯＭ２４から着信プログラムを読み出し、プログラムを起動する（ステップＳ２）。
【００２２】
一方、発信電話番号検出部２３は、回線信号から発信電話番号を検出し、検出した番号を中央制御部２０に出力する。
着信プログラムは、ＲＡＭ２５に登録された登録電話番号リストを読み出し、そのリストと、発信電話番号とを比較照合する（ステップＳ３）。
比較照合の結果、発信番号が登録済みの番号であれば（ステップＳ４）、次にその番号が着信拒否すべき番号として登録されているか否かを判断する（ステップＳ５）。
着信拒否番号でない場合、発信番号に対応するキー１０を点滅させ（ステップＳ６）、電話機５１に着信通知する。
【００２３】
ここで電話受信者は、キー１０の点滅と着信音により、着信があったことを知ることになる。即ち、電話受信者は、キー１０の点滅により、登録している相手であると認識し、さらに、その点滅するキー１０の画像シート１４（写真等）を見ることで、誰からの電話なのかを容易に知ることができる。
電話受信者が電話機５１の受話器を上げ、オフフック状態となると（ステップＳ８）、通話中の意味としてキー１０は通話終了まで（オンフックとなるまで）点灯される（ステップＳ９）。
【００２４】
一方、ステップＳ５において、発信番号が着信拒否番号であった場合、着信を電話機５１に通知することなく回線制御部２１により回線を切断する（ステップＳ１０）。
また、ステップＳ４において、発信番号が登録済み番号でなかった場合、電話機に着信を通知し、電話機５１の着信音のみで着信を知らせる（ステップＳ１１）。
尚、着信拒否の処理が不要の場合、この電話機５１への着信通知は、通信アダプタ装置１００での処理に拘らず、着信と同時に行なってもよい。
【００２５】
続いて、通信アダプタ装置１００における発信時の動作について、図４のフローに基づき説明する。
先ず、通信アダプタ装置１００を使用する電話発信者は、電話機５１の受話器を上げ、オフフック状態とする（図４のステップＳ１１）。
【００２６】
次いで、所望のキー１０、即ち、電話を掛けたい相手の画像シート１４（写真等）が挿入されているキー１０を押すと（ステップＳ１２）、中央制御部２０はＲＯＭ２４から発信プログラムを読み出し、プログラムを起動する（ステップＳ１３）。
発信プログラムはステップＳ１２で押されたキー１０に対応する電話番号を、ＲＡＭ２５から読み出し（ステップＳ１４）、その電話番号を電話発信手段として機能する回線制御部２１により発信動作させる（ステップＳ１５）。このようにして、相手の番号を発呼する動作が開始される。
【００２７】
以上の実施の形態によれば、電話回線５０と電話機５１との間に設けられる通信アダプタ装置１００において、筐体１上面に複数のキー１０が設けられ、各キー１０は発光体１１と、その上方に設けられる透光性の画像シート１４とを有する構成となされる。
さらに各キー１０には電話番号が割り当てられ、その電話番号からの着信があると、当該キー１０の発光体１１の発光動作に従い、画像シート１４（写真等）が点滅するようになされる。
したがって、視力が衰えた高齢者や弱視者であっても、その点滅（点灯）する画像シート１４（写真等）を見ることによって、誰からの電話着信であるのか容易に知ることができる。
また、電話を掛ける際には、各キー１０に挿入された写真を見て、登録された人物等を識別することができるため、電話を掛けたい相手の画像シート１４（写真等）が挿入されているキー１０を押すだけで、容易に電話を掛けることができる。
【００２８】
尚、前記実施の形態においては、画像シート１４は透光性のシートであって、この画像シート１４の下方に発光体１１が設けられる構成としたが、これに限定されず、画像シートの透光性・不透光性に拘らず、画像シートに隣接して発光体を隣設した構成としてもよい。
【産業上の利用可能性】
【００２９】
本発明は、電話回線と電話機との間に設けられる通信アダプタ装置に関するものであり、例えば通信機器製造業界において適用される。
【図面の簡単な説明】
【００３０】
【図１】図１は本発明の通信アダプタ装置の斜視図である。
【図２】図２は、図１の通信アダプタ装置の機能構成を示すブロック図である。
【図３】図３は、図１の通信アダプタ装置における着信時の動作の流れを示すフローである。
【図４】図４は、図１の通信アダプタ装置における発信時の動作の流れを示すフローである。
【符号の説明】
【００３１】
１        筐体
２        メインキーパネル
３        設定キーパネル（設定手段）
１０      キー
１１      発光体
１２      キー本体
１３      クリアカバー
１４      画像シート
２０      中央制御部（制御手段）
２１      回線制御部（電話発信手段）
２２      着信検出部
２３      発信電話番号検出部（発信電話番号検出手段）
２４      ＲＯＭ
２５      ＲＡＭ（記憶手段）
５０      公衆電話回線（電話回線）
５１      電話機
１００    通信アダプタ装置
【図１】
2008092256.tif 000003
【図２】
2008092256.tif 000004
【図３】
2008092256.tif 000005
【図４】
2008092256.tif 000006